(57)【要約】【課題】バッグインボックスにおいて、可撓性バッグの口部の取出しのための開口部を開設する手間をなくし、該開口部からの外装箱への塵芥の侵入を防止する。【解決手段】  可撓性バッグ１を収容する外装箱３の蓋部４は、中蓋43と外蓋41とからなり、中蓋には可撓性バッグ口部２を外側に突出させるための口部引出し部51と、該口部引出し部に連続し、口部２のフランジ22の下方が嵌まる保持切欠部52を有しており、外蓋41には口部２を引き出すための孔は存在しない。【選択図】図２
0003111107.tif 000002
【実用新案登録請求の範囲】
【請求項１】
フランジ(22)を具えた口部(２)を有する可撓性バッグ(１)と、該バッグを収容し蓋部(４)を具えた外装箱(３)とからなるバッグインボックスにおいて、外装箱(３)の蓋部(４)は中蓋(43)と外蓋(41)とからなり、中蓋(43)には可撓性バッグ(１)の口部(２)を外側に引き出すための開口部(５)が設けられ、該開口部(５)は可撓性バッグ(１)のフランジ(22)が通過できる口部引出し部(51)と、該口部引出し部(51)に連続し、口部(２)のフランジ(22)の下方が嵌まりフランジ(22)の通過は阻止する大きさの保持切欠部(52)とからなり、外蓋(41)には口部(２)を引き出すための開口部は存在しないバッグインボックス。
【請求項２】
外装箱(３)は、蓋部(４)、該蓋部に対向する底部(31)及び４つの側壁(32)(33)(34)を有する六面体に形成され、中蓋(43)は、内中蓋(44)と外中蓋(45)の２層構造であり、内中蓋(44)は、外装箱(３)の対向する２つの側壁(32)(33)の上端縁から突出し箱開口の中央部で突き合う２枚のフラップ(44a)(44a)にて形成され、外中蓋(45)は、他の２つの側壁(34)(35)の内、一方の側壁(34)の上端に突設され、外蓋(41)は残りの側壁(35)の上端に突設され、外中蓋(45)の自由端に箱内面と前記２つのフラップ(44a)(44a)の側縁との間に嵌まる差込み耳部(47)を突設しており、両フラップ(44a)(44a)に外中蓋(45)を貫通して開口部(５)が形成されている請求項１に記載のバッグインボックス。
【請求項３】
外蓋(41)の自由端と外装箱(３)には互いに係脱して外蓋(41)を閉じ状態に保持可能な保持手段(48)が設けられている請求項１又は２に記載のバッグインボックス。
【請求項４】
保持手段(48)は、外中蓋(45)の基端縁に開設したスリット溝孔(46)と、外蓋(41)の自由端に突設され該スリット溝孔(46)に差し込み可能な突片(42)とによって構成されている請求項３に記載のバッグインボックス。
【考案の詳細な説明】
【技術分野】
【０００１】
本考案は、液体や粉体を容れる可撓性バッグを外装箱に収容したバッグインボックスに関するものである。
【背景技術】
【０００２】
図６は、従来のバッグインボックスの一例を示している(特許文献１)。該バッグインボックスは、外装箱(３)の蓋部(４)は、中蓋(43)と外蓋(41)とからなる。中蓋(43)は箱開口中央で突き合う２つのフラップ(43a)(43a)からなり、両フラップに跨って可撓性バッグ(１)の口部(２)を引っ張り出すための切欠(53)(53)が設けられている。
外蓋(41)も互いに突き合う２つのフラップ(41a)(41b)からなり、一方のフラップ(41a)に切抜き用の断続的な切込み(56)(ミシン目)が施されている。
断続的な切込み(56)の内側を切り抜くと、可撓性バッグ(１)の口部(２)を引き出すための口部引出し部(51)と該口部引出し部(51)に連続する保持切欠部(52)が形成される。
【０００３】
図５(図５は本発明の要部断面図であるが、可撓性バッグ(１)については従来のものと同じである)に示す如く、可撓性バッグ(１)の口部(２)は、公知の如く、バッグ本体(11)に融着等によって固定され注排用孔(図示せず)を有するベース部(21)とキャップ(24)とからなり、ベース部(21)には、フランジ(22)と該フランジ(22)の下方に嵌込み部(23)を有している。
【０００４】
可撓性バッグ(１)に内容物を充填し、中蓋(43)と外蓋(41)を閉じて出荷される。
内容物の取り出しは、外蓋(41)の断続的な切込み(56)からその内側を切り抜いて、可撓性バッグ(１)の口部(２)を外側に引き出し、該口部(２)の嵌込み部(23)を保持切欠部(52)に嵌めて、フランジ(22)を外蓋(41)の上面当てる(図５参照)。
これによって、口部(２)の位置決めができ、バッグインボックスを傾ける或いは、口部(２)にコックを取り付け、該コックを開いて可撓性バッグ(１)の内容物を取り出すことができる。
【０００５】
【特許文献１】特開２００３−２８５８７０号公報
【考案の開示】
【考案が解決しようとする課題】
【０００６】
上記バッグインボックスにおいて、外蓋(41)の断続的な切込み(56)の内側部分を手指で切り抜くのは難しい。これは、簡単に手で千切り取ることができる程度の断続的な切込みであれば、バッグインボックスの搬送、積込み時等において、不用意に該断続的な切込みの内側部分を押圧して、断続的な切込みが繋がってしまうからである。この場合、商品価値を著しく損ねるため、断続的な切込みは容易に千切れない程度に施されている。
従って、断続的な切込み(56)の内側部分の切抜きには、カッターナイフ等の刃物を用いることが多く、該刃物で可撓性バッグ(１)に孔をあけてしまって内容物が流出する事態も生じた。
又、外蓋(41)には、断続的な切込み部分を切り抜くと開口部として残るため、口部(２)を外装箱(３)の内側に戻しても、該開口部から中が見えて美観を損ね、又、塵芥が外装箱(３)内に侵入して不衛生となる。
本考案は、上記問題を解決できるバッグインボックスを明らかにするものである。
【課題を解決するための手段】
【０００７】
請求項１バッグインボックスは、フランジ(22)を具えた口部(２)を有する可撓性バッグ(１)と、該バッグを収容した外装箱(３)とからなり、外装箱(３)の蓋部(４)は中蓋(43)と外蓋(41)とからなり、中蓋(43)には可撓性バッグ(１)の口部(２)を外側に突出させるための開口部(５)が設けられ、該開口部(５)は可撓性バッグ(１)のフランジ(22)が通過できる口部引出し部(51)と、該口部引出し部(51)に連続し、口部(２)のフランジ(22)の下方が嵌まりフランジ(22)の通過は阻止する大きさの保持切欠部(52)とからなり、外蓋(41)には口部(２)を引き出すための開口部は存在しない。
【０００８】
請求項２は、請求項１のバッグインボックスにおいて、外装箱(３)は、蓋部(４)、該蓋部に対向する底部(31)及び４つの側壁(32)(33)(34)を有する六面体に形成され、中蓋(43)は、内中蓋(44)と外中蓋(45)の２層構造であり、内中蓋(44)は、外装箱(３)の対向する２つの側壁(32)(33)の上端縁から突出し箱開口の中央部で突き合う２枚のフラップ(44a)(44a)にて形成され、外中蓋(45)は、他の２つの側壁(34)(35)の内、一方の側壁(34)の上端に突設され、外蓋(41)は残りの側壁(35)の上端に突設され、外中蓋(45)の自由端に箱内面と前記２つのフラップ(44a)(44a)の側縁との間に嵌まる差込み耳部(47)を有しており、両フラップ(44a)(44a)に外中蓋(45)を貫通して開口部(５)が形成されている。
【０００９】
請求項３は、請求項１又は２のバッグインボックスにおいて、外蓋(41)の自由端と外装箱(３)には互いに係脱して外蓋(41)を閉じ状態に保持可能な保持手段(48)が設けられている。
【００１０】
請求項４は、請求項３のバッグインボックスにおいて、保持手段(48)は、外中蓋(45)の基端縁に開設したスリット溝孔(46)と、外蓋(41)の自由端に突設され該スリット溝孔(46)に差し込み可能な突片(42)とによって構成されている。
【考案の効果】
【００１１】
請求項１のバッグインボックスは、外装箱(３)の中蓋(43)には可撓性バッグ(１)の口部(２)を外側に突出させるための口部引出し部(51)と、該口部引出し部(51)に連続し口部(２)のフランジ(22)の下方が嵌まりフランジ(22)の通過は阻止する大きさの保持切欠部(52)とからなる開口部(５)が開設されているから、使用者が、外装箱(３)に可撓性バッグ(１)の口部(２)を引き出すための開口部を切抜く手間と労力は不要である。
従って、従来の様に、使用者が刃物の助けを借りて開口部を開設する際に、刃物で可撓性バッグ(１)を傷つける事態は起こらない。
又、外蓋(41)には口部(２)を引き出すための開口部は存在しないため、外蓋(41)を閉じると、外装箱(３)の内部が隠れてバッグインボックスの陳列の美観を損なわず、又、外装箱(３)内への塵芥の侵入を防止できる。
【００１２】
請求項２のバッグインボックスは、外装箱(３)の４つの側壁(32)(33)(34)(35)の上端から、中蓋(43)を構成する２つのフラップ(44a)(44a)と外中蓋(45)、及び外蓋(41)が突設されているから、中蓋(43)と外蓋(41)を閉じた状態では、各側壁(32)(33)(34)(35)と蓋部(４)との間に隙間が生じず、外装箱(３)内への異物の混入、塵芥の侵入を防止できる。
又、蓋部(４)は３層構造となるから、強度が高まる。
【００１３】
請求項３のバッグインボックスは、保持手段(48)によって、確実に外蓋(41)を閉じ状態に保持できる。
【００１４】
請求項４のバッグインボックスは、外蓋(41)の自由端の突片(42)を相手スリット溝孔(46)に嵌めるだけで外蓋(41)を閉じ状態に保持でき、保持手段(48)の構成及び使用法が簡単である。又、外装箱(３)を材料シートから外装の展開形状に打ち抜く際に、突片(42)及びスリット溝孔(46)を同時に形成することができ、保持手段(48)を設けることに手間が掛からない。
【考案を実施するための最良の形態】
【００１５】
図１は、バッグインボックスの外装箱(３)を示している。
図４に示す如く、外装箱(３)には、可撓性バッグ(１)が収容される。
可撓性バッグ(１)は、液体、粒体、粉体等の流動性物を収容するもので、合成樹脂製の略サイコロ状の可撓性バック本体(11)と口部(２)とからなる。
口部(２)は、バッグ本体(11)に融着等によって固定され注排用孔(図示せず)を有するベース部(21)とキャップ(24)とからなり、ベース部(21)には、フランジ(22)と該フランジ(22)の下方に外径円形の嵌込み部(23)を有している。
図４、図５に示す如く、バッグ本体(11)の口部(２)周辺は環状の凹み部(12)が形成されており、口部(２)を上向きに引っ張ると該凹み部(12)が弾性変形して口部(２)を無理なく持ち上げることができる。
【００１６】
外装箱(３)は、蓋部(４)、該蓋部(４)に対向する底部(31)及び４つの側壁(32)(33)(34)(35)を有する立法体、又は立方体に近い六面体で、内容物充填状態の前記可撓性バッグ(１)を揺れ動く余裕のない様に収容できる大きさに形成されている。
外装箱(３)は、段ボールシートを該外装箱(３)の展開形状に打ち抜いたシートブランク(図示せず)を折り曲げて形成されている。
【００１７】
外装箱(３)の蓋部(４)は、中蓋(43)と外蓋(41)とからなり、中蓋(43)は、内中蓋(44)と外中蓋(45)の２層構造である。従って、蓋部(４)は３層構造である。
内中蓋(44)は、外装箱(３)の対向する２つの側壁(32)(33)の上端縁から突出し箱開口の中央部で突き合う２枚のフラップ(44a)(44a)にて形成される。
外中蓋(45)は、他の２つの側壁(34)(35)の内、一方の側壁(34)の上端に突設され自由端に箱内面と前記２つのフラップ(44a)(44a)の側縁との間に嵌まる差込み耳部(47)を有している。
【００１８】
中蓋(43)には、可撓性バッグ(１)の口部(２)を引き出すための開口部(５)が設けられている。
開口部(５)は、可撓性バッグ(１)の口部(２)を引き出すための口部引出し部(51)と、口部引出し部(51)に連続し該口部(２)を定位置に保持するための保持切欠部(52)とからなる。
口部引出し部(51)は、口部(２)のフランジ(22)が少し余裕の状態に通過できる大きさである。保持切欠部(52)は、口部(２)下端の嵌込み部(23)が緊密に嵌まる大きさであり、望ましくは、嵌込み部(23)の直径の２/３程度嵌まり、更に望ましくは、嵌込み部(23)の口部引出し部(51)側の開口幅が、嵌込み部の直径よりも僅か狭いことである。
中蓋(43)の内、内中蓋(44)は２つのフラップ(44a)(44a)に跨って口部引出し部(51)及び保持切欠部(52)が開設され、外中蓋(45)にはそれらに重なる様に口部引出し部(51)及び保持切欠部(52)が開設される。
【００１９】
外中蓋(45)の基端部には、外中蓋(45)と箱側壁(34)との境界線(折り線)に沿ってスリット溝孔(46)が開設されている。
【００２０】
外蓋(41)の自由端中央には、外中蓋(45)のスリット溝孔(46)に差込み可能な突片(42)が突設され、スリット溝孔(46)と突片(42)によって外蓋(41)を閉じ状態に保持可能な保持手段(48)を構成している。
【００２１】
然して、上記実施例のバッグインボックスは、外装箱(３)の蓋部(４)が３層構造であるから、丈夫である。又、蓋部(４)には可撓性バッグ(１)の口部(２)を引き出すための開口部或いは該開口部を切り抜くための断続的な切込みは存在せず、外装箱(３)としての美観が優れれている。又、外装箱(３)内への塵芥の侵入を防止できる。
【００２２】
可撓性バッグ(１)の内容物を取り出すには、先ず、外蓋(41)の突片(42)を相手スリット溝孔(46)から抜き出して外蓋(41)を開いて、中蓋(43)の開口部(５)を露出させる(図２参照)。
使用者が該開口部(５)を開設する手間が掛からない。
次に、中蓋開口部(５)の口部引出し部(51)から可撓性バッグ(１)の口部(２)を引き出し、該口部を保持切欠部(52)側にスライドさせて、口部下端の嵌込み部(23)を保持切欠部(52)に嵌め、口部フランジ(22)を外蓋(41)の上面に当てる(図５参照)。
中蓋(43)の保持切欠部(52)は、口部(２)の嵌込み部(23)が緊密に或いは保持切欠部(52)の開口幅を変形させて無理に嵌まる大きさであるから、外力を加えない限り口部(２)は保持切欠部(52)から不用意に脱出することはない。このため、口部(２)を位置決めして保持できる。
口部(２)のキャップ(24)を外して、バッグインボックスを傾けると、可撓性バッグ(１)の内容物を取り出しできる。口部(２)の位置がぐらつくことはないので、内容物の放出を安定して行うことができる。
【００２３】
可撓性バッグ(１)から所望量の内容物を取り出した後、キャップ(24)を締めて、口部(２)を口部引出し部(51)へずらしてから外装箱(３)の内側に押し込み、外蓋(41)を閉じる。
前記の如く、外蓋(41)には口部(２)を引き出すための開口部は存在しないため、外蓋(41)を閉じると、外装箱(３)の内部が隠れてバッグインボックスの陳列の美観を損なわない。
【００２４】
尚、口部(２)にコック(図示せず)を取り付けて、該コックを開いて所望量の内容物を取り出すこともできる。
【００２５】
上記実施例の説明は、本発明を説明するためのものであって、特許請求の範囲に記載の発明を限定し、或いは範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２６】
【図１】バッグインボックスの斜面図である。
【図２】同上の外蓋を開いた斜面図である。
【図３】同上の外蓋と外中蓋を開いた斜面図である。
【図４】同上の外蓋と中蓋を開いた斜面図である。
【図５】バッグインボックスの使用状態の要部断面図である。
【図６】従来例のバッグインボックスの蓋部を開いた斜面図である。
【符号の説明】
【００２７】
１  可撓性バッグ
２  口部
３  外装箱
４  蓋部
41  外蓋
42  突片
43  中蓋
44  内中蓋
45  外中蓋
46  スリット溝孔
48  保持手段
５  開口部
51  口部引出し部
52  保持切欠部
【図１】
0003111107.tif 000003
【図２】
0003111107.tif 000004
【図３】
0003111107.tif 000005
【図４】
0003111107.tif 000006
【図５】
0003111107.tif 000007
【図６】
0003111107.tif 000008